(57)【特許請求の範囲】
【請求項１】
無線通信システムのＵＥ（ユーザー端末）においてランダムアクセスプロセスを処理する方法であって、
前記ランダムアクセスプロセスを起動するステップと、
前記ランダムアクセスプロセスで、コンテンション解消メッセージを受信するステップと、
前記ランダムアクセスプロセスの成功を検出するステップとを含み、
前記コンテンション解消メッセージがＣ−ＲＮＴＩ（セル無線ネットワーク一時識別子）を既に有する前記ＵＥのＴ−ＣＲＮＴＩ（一時セル無線ネットワーク一時識別子）に指定された場合に、前記ＵＥが前記Ｔ−ＣＲＮＴＩをＣ−ＲＮＴＩとして用いる、ランダムアクセスプロセスの処理方法。
【請求項２】
前記ＵＥが既に有する前記Ｃ−ＲＮＴＩは、無効なＣ−ＲＮＴＩである、請求項１に記載の方法。
【請求項３】
無線通信システムのＵＥ（ユーザー端末）においてランダムアクセスプロセスを処理する通信装置であって、
通信装置の機能を実現する制御回路と、
前記制御回路の中に設けられ、プログラムコードを実行して前記制御回路を制御するＣＰＵと、
前記制御回路の中に前記ＣＰＵと結合するように設けられ、前記プログラムコードを記録する記憶装置とを含み、
前記プログラムコードは、
前記ランダムアクセスプロセスを起動するコードと、
前記ランダムアクセスプロセスで、コンテンション解消メッセージを受信するコードと、
前記ランダムアクセスプロセスの成功を検出するコードとを含み、
前記コンテンション解消メッセージがＣ−ＲＮＴＩ（セル無線ネットワーク一時識別子）を既に有する前記ＵＥのＴ−ＣＲＮＴＩ（一時セル無線ネットワーク一時識別子）に指定された場合に、前記ＵＥが前記Ｔ−ＣＲＮＴＩをＣ−ＲＮＴＩとして用いる、通信装置。
【請求項４】
前記ＵＥが既に有する前記Ｃ−ＲＮＴＩは、無効なＣ−ＲＮＴＩである、請求項３に記載の通信装置。
【発明の詳細な説明】
【技術分野】
【０００１】
本発明は無線通信システムにおいてランダムアクセスプロセスを処理する方法及び装置に関し、特にタイミングアラインメントと資源要求を有効に実現することで、システム動作を確保してシステム効率を向上させる方法及び装置に関する。
【背景技術】
【０００２】
第三世代移動通信技術は高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。しかし、高速データ伝送とマルチメディアアプリケーションに対する市場の要求に鑑みて、業界では次世代の通信技術を開発し、規格制定機構も業界の需要に合わせて通信プロトコルを改定している。
【０００３】
ＬＴＥ（long term evolution）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）層とＭＡＣ（媒体アクセス制御）層は基地局（ノードＢ）とＲＮＣ（無線ネットワークコントローラ）に別々に設けるのでなく、同一のネットワークエンティティー（例えば基地局）に統合されているので、構造が比較的に簡単である。
【０００４】
現在のＬＴＥ無線通信システムでは、ＲＡＣＨ（ランダムアクセスチャネル）はＵＥ（ユーザー端末）から基地局までのアップリンクチャネルに配置される。このチャネルはタイミングアラインメント、ＲＮＴＩ（無線ネットワーク一時識別子）の割り当て、及び資源要求に用いられるように設計されている。基地局のＵＥが初期接続状態にあるとき、基地局とＵＥの間ではダウンリンクのみタイミングの同期が得られ、アップリンクでは未だに同期しておらず、ＲＡＣＨの信号はアップリンクのタイミングでアラインメントすることができる。ＵＥでアップリンクのタイミングアラインメントを行う前に、ＵＥはダウンリンク信号の中のＳＣＨ（同期チャネル）または基準信号を用いて、タイミングとフレームの同期を実行する。しかし、送信端と受信端の間の距離により信号には伝送遅延が生じるので、ＵＥでは、基地局に送信された信号がその基地局にとって受信フレームの開始点にあたるかどうかは、判明できない。また、１つの基地局で複数のＵＥに対してサービスを提供した場合、ＵＥごとに基地局との距離が異なるので、ラウンドトリップ遅延が生じ、それによりタイミングオフセットが発生する。したがって、時間上の同期を得るためには、基地局はＵＥから送信されたＲＡＣＨ信号を用いて両者間のタイミングオフセット量を評価し、更にＤＬ−ＳＣＨ（ダウンリンク共用チャネル）を通して信号の上り送信時間を調整するようにＵＥに通報することが必要である。前記ＲＡＣＨ信号は主としてプリアンブルから構成される。プリアンブルは、アップリンクのタイミング同期とＵＥ  ＩＤ（ＵＥ識別）の検出に用いられ、短い信号または署名データを搬送することもできる。
【０００５】
一方、複数のＵＥから送信されるＲＡＣＨ信号は、コンテンション方式または非コンテンション方式で基地局と接続することができる。すなわち、ＵＥはＲＡＣＨの中で特定の無線チャネル資源を選び、更にプリアンブルメッセージをランダムに選ぶか、またはネットワークで割り当てられたプリアンブルメッセージを信号に組み入れて送信する（この場合、チャネル中の特定の無線チャネル資源はネットワークで割り当てられるか、またはＵＥで選択される）。送信されたＲＡＣＨ信号が他ＵＥの信号と衝突（コリジョン）したか、または送信電力が低すぎるなどの理由で基地局により識別できないか、またはランダムに選ばれたプリアンブルメッセージのせいでランダムアクセスプロセスで回線争奪（コンテンション）に失敗した場合、ＵＥは、ＲＡＣＨ信号を送信できる次の無線チャネル資源の電力が増加された後に、基地局の応答または送信失敗の基準に達する（例えば送信失敗の最大回数または最大送信電力に達する）まで、信号を再送する（それに用いられるプリアンブルメッセージは状況によって再選択することもできる）。
【０００６】
ＬＴＥ無線通信システムにとって、ＲＡＣＨの送信機会は時間資源または周波数資源のいずれかに関係するのでなく、時間−周波数資源に関係している。したがって、ＲＡＣＨの物理資源が選ばれたとき、その時間域と周波数帯域もそれに伴って決定される。もっとも、特定の時点に、選べる周波数帯が１本以上存在することもありうる。一方、ＬＴＥ無線通信システムでは、プリアンブルはＵＥによってランダムに選ばれたランダムアクセスプリアンブル、またはネットワークによって割り当てられた専用プリアンブルである。あるＵＥがランダムアクセスプリアンブルを利用した（ランダムに選択した）場合、他のＵＥも同一のプリアンブルを利用し、同一のＲＡＣＨ送信機会で送信することができる。そのため、ネットワークは受信したメッセージが１または１以上のＵＥから送信されたものであるかを判断することができず、コンテンションが発生する。このコンテンションは、ＵＥからＵＥ  ＩＤを含んだアップリンクメッセージを出力した後に解消される。それに反して、ネットワークが特定のＵＥに専用プリアンブルを割り当てた場合、その専用プリアンブルは当該ＵＥに専用されるので、コンテンションは発生しない。
【０００７】
ＬＴＥ無線通信システムでは、ランダムアクセスプロセスの性能は主として、コリジョンとコンテンションの確率、時間−周波数資源、ＵＥの数量（負荷）、プリアンブル署名の数量、チャネル品質、ＵＥ  ＩＤ、アクセス理由などにより影響される。性能のほか、システム設計上の要求、例えば、異なった非同期ランダムアクセスプロセスに対応するＩＤの寿命（ライフスパン）を一致させて、基地局のサービスエリア（セルとも称する）と関係しないようにさせることか、接続状態にあるＵＥの最適化なども、考慮すべきである。ＵＥがＲＡＣＨにアクセスする理由としては、初期アクセス、同期要求、ハンドオーバーアクセス、スケジューリング要求など４種類がある。そのうち初期アクセスは、ＵＥ発呼、ネットワーク発呼、トラッキングエリア更新、または初期セルアクセスであることが可能で、ＮＡＳ（非アクセスストラタム）プロセス（サービス要求、ネットワークアタッチ、またはルーティング／トラッキングエリア更新など）に用いられる初期ＮＡＳ信号を含む。したがって、システム要求とＲＡＣＨのアクセスに鑑みて、従来の技術では下記４段階のランダムアクセスプロセスが提供されている。
【０００８】
（１）アップリンクＲＡＣＨでのランダムアクセスプリアンブル（Ｒａｎｄｏｍ  Ａｃｅｓｓ  Ｐｒｅａｍｂｌｅ  ｏｎ  ＲＡＣＨ  ｉｎ  ｕｐｌｉｎｋ）段階：メッセージ１に対応する。アップリンク資源を効率よく割り当てるために、メッセージ１は６ビットを搬送し、ランダムＩＤを指示するか、または他のメッセージ、例えばアクセス原因、伝送メッセージサイズ、優先性、パスロス、ＣＱＩ（チャネル品質指示子）などの情報を指示する。
（２）ＤＬ−ＳＣＨでのランダムアクセス応答（Ｒａｎｄｏｍ  Ａｃｃｅｓｓ  Ｒｅｓｐｏｎｓｅ  ｏｎ  ＤＬ−ＳＣＨ）段階：メッセージ２に対応する。メッセージ２はメッセージ１と半同期しており（すなわち、特定ＴＴＩ（送信時間間隔）の可変長受信ウィンドウに位置する）、ＨＡＲＱ（ハイブリッド自動リピート要求）プロセスを利用せず、第一層インターフェイス、第二層インターフェイス、及びＤＬ−ＳＣＨで伝送される。メッセージ２は第一層インターフェイスと第二層インターフェイスの制御チャネルを通してＲＡ−ＲＮＴＩ（ランダムアクセス無線ネットワーク一時識別子）に指定され、少なくともランダムアクセスプリアンブル識別子、タイミングアラインメント情報、初期アップリンクグラント、Ｔ−ＣＲＮＴＩ（一時セル無線ネットワーク一時識別子）の割り当てを搬送し、同一のＤＬ−ＳＣＨメッセージの中で１個または複数のＵＥに対応しうる。
（３）ＵＬ−ＳＣＨ（アップリンク共用チャネル）での第１回スケジューリングされたアップリンク送信（Ｆｉｒｓｔ  Ｓｃｈｅｄｕｌｅｄ  ＵＬ  ｔｒａｎｓｍｉｓｓｉｏｎ  ｏｎ  ＵＬ−ＳＣＨ）段階：メッセージ３に対応する。メッセージ３はＨＡＲＱプロセスを利用し、セグメント化を実行しないＲＬＣ  ＴＭ（無線リンク制御トランスペアレントモード）で動作し、少なくともＵＥ  ＩＤと、Ｃ−ＲＮＴＩ（セル無線ネットワーク一時識別子）が既に利用可能になったかどうかを示す情報（明示的または暗黙的）を搬送する。ＵＥがＲＡＣＨにアクセスする理由が初期アクセスで、かつメッセージ３のサイズが許容する場合では、初期ＮＡＳメッセージ（またはその他初期ＮＡＳメッセージの確立に用いられるデータ）をメッセージ３に組み入れることができる。メッセージ３のサイズは可変である。
（４）ＤＬ−ＳＣＨでのコンテンション解消（Ｃｏｎｔｅｎｔｉｏｎ  Ｒｅｓｏｌｕｔｉｏｎ  ｏｎ  ＤＬ−ＳＣＨ）段階：メッセージ４に対応する。メッセージ４はメッセージ３と同期せず、その内容については研究中（ｆｏｒ  ｆｕｒｔｈｅｒ  ｓｔｕｄｙ）である。メッセージ４はＨＡＲＱプロセスをサポートし、第一層インターフェイスと第二層インターフェイスの制御チャネルを通して一時Ｃ−ＲＮＴＩ（Ｔ−ＣＲＮＴＩ）に指定される。Ｔ−ＣＲＮＴＩの割り当てを受けたＵＥはメッセージ４（ＲＲＣコンテンション解消メッセージ）を受信する。ＨＡＲＱフィードバックは、自己のＵＥ  ＩＤを検出したＵＥのみ伝送することができる。このＵＥ  ＩＤは、ＵＥがメッセージ３に組み入れたＵＥ  ＩＤと一致し、ＲＲＣコンテンション解消メッセージの中でエコーバックされる。
【０００９】
従来の技術では、初期アクセスの４つの段階としてはそれぞれ、ＲＡＣＨでのランダムアクセスプリアンブル（Ｒａｎｄｏｍ  Ａｃｃｅｓｓ  Ｐｒｅａｍｂｌｅ  ｏｎ  ＲＡＣＨ）段階、ＤＬ−ＳＣＨでのＣＣＣＨ（共通制御チャネル）を通したランダムアクセス応答（Ｒａｎｄｏｍ  Ａｃｃｅｓｓ  Ｒｅｓｐｏｎｓｅ  ｖｉａ  ＣＣＣＨ  ｏｎ  ＤＬ−ＳＣＨ）段階、ＵＬ−ＳＣＨでのＣＣＣＨを通したＲＲＣ接続要求（ＲＲＣ  Ｃｏｎｎｅｃｔｉｏｎ  Ｒｅｑｕｅｓｔ  ｖｉａ  ＣＣＣＨ  ｏｎ  ＵＬ−ＳＣＨ）段階、及びＤＬ−ＳＣＨでのＤＣＣＨ（専用制御チャネル）を通したＲＲＣコンテンション解消（ＲＲＣ  Ｃｏｎｔｅｎｔｉｏｎ  Ｒｅｓｏｌｕｔｉｏｎ  ｖｉａ  ＤＣＣＨ  ｏｎ  ＤＬ−ＳＣＨ）などである。
【００１０】
したがって、ＬＴＥ無線通信システムについて、従来の技術ではランダムアクセスプロセスの関連段階が提供されている。しかし、上記段階には以下の問題が生じうる。
【００１１】
まず、ＵＥは無線リンク障害、ハンドオーバー指示またはトラッキングエリア変更などによりランダムアクセスプロセスを駆動する場合がある。しかし、ランダムアクセスプロセスでは、ＵＥで無線リンク障害、ハンドオーバー指示またはトラッキングエリア変更が発生しうる。したがって、ＵＥでメッセージ３を通してＣ−ＲＮＴＩを保有することを基地局に通報した後、メッセージ４を受信する前に（メッセージ４とメッセージ３は同期せず、再送は許容される）、当該ＵＥが保有するＣ−ＲＮＴＩは既に解放されたか、無効となるか、または再使用すべきではない。この場合、ネットワークは当該ＵＥが本来のＣ−ＲＮＴＩを使用すると認定し、メッセージ２の中の当該ＵＥに割り当てられるＴ−ＣＲＮＴＩを、ランダムアクセスプロセスを実行している他ＵＥに割り当てる場合がある。しかし、当該ＵＥは、メッセージ２から受信した前記Ｔ−ＣＲＮＴＩをそのＣ−ＲＮＴＩとする。ネットワークとＵＥの間に起こりうる誤解を回避するために、またはランダムアクセスを簡素化するために、または要求に即したＣ−ＲＮＴＩを割り当てるために、明白なＣ−ＲＮＴＩ割り当て方法が必要である。また、ネットワークはメッセージ３の中のＵＥ  ＩＤに基づいてＵＥがＣ−ＲＮＴＩを保有するかどうかを判断できる。したがって、ＵＥはＣ−ＲＮＴＩを保有することをネットワークに通報する必要がない。言い換えれば、従来の技術は不必要なデータ伝送を引き起こし、伝送効率を低下させる。なお、特定の状況では、ランダムアクセスプロセスの完了後、ランダムアクセスを起動する理由がもはや重要でなくなる場合もある。
【００１２】
なお、ネットワークが受信したメッセージ３を通してＵＥのＣ−ＲＮＴＩを検出または確認するとき、勝利のＵＥ（コンテンションを経て優先アクセスが決められたＵＥ）がＣ−ＲＮＴＩを保有すれば、Ｃ−ＲＮＴＩを保有することは当該ＵＥでは判明できる。言い換えれば、ネットワークは第一層インターフェイスと第二層インターフェイスの間の制御チャネルを通してＲＡ−ＲＮＴＩを勝利のＵＥに指定する必要がない。したがって、Ｔ−ＣＲＮＴＩの存続期間は、所期のＴ−ＣＲＮＴＩの受信期限前に終了しなければならない。さもなければ、Ｔ−ＣＲＮＴＩは所定数量を超過するか不足になり、ＵＥでＴ−ＣＲＮＴＩを利用するには時間上の遅延が生じる。
【００１３】
また、特定のランダムアクセス原因（例えばハンドオーバーまたは同期要求）にとって、ネットワークは専用プリアンブルを、これらのランダムアクセス原因によりランダムアクセスプロセスを起動しようとするＵＥに割り当て、コンテンションを回避（ＲＡＣＨの時間域と周波数帯域資源が足りる場合）か減少（ランダムアクセスを要求するＵＥが多すぎる場合）する。正常の場合では、専用プリアンブルを受信するＵＥは接続状態にあり、その関連情報はネットワークに知られている。したがって、ネットワークではＵＥがＣ−ＲＮＴＩを保有するか判明できる。言い換えれば、ネットワークはメッセージ２とを押してＴ−ＣＲＮＴＩを割り当てる必要がない。Ｔ−ＣＲＮＴＩを割り当てる必要があっても、無線資源の浪費を回避して処理可能なＵＥの数量を制限するために、ネットワークはダウンリンク共用チャネルを通して完全なＴ−ＣＲＮＴＩを送信する必要がない。すなわち、ＵＥがいずれも特定の長さを有するメッセージ２（ランダムアクセス応答）を求めれば、メッセージ２を受信できるＵＥは限られる。
【００１４】
一方、コンテンション解消メッセージの伝送はＨＡＲＱ技術でサポートされ、１回の再送が許容される。しかし、ＨＡＲＱ応答信号にエラーが発生すれば、ネットワークとＵＥの間の情報は一致しなくなる。例えば、ＤＴＸ−ＡＣＫエラーまたはＮＡＣＫ−ＡＣＫエラー（応答にＮＡＣＫを用いることができる場合）が発生した場合、Ｃ−ＲＮＴＩを保有しないＵＥに対して、ネットワークはそのＵＥがＴ−ＣＲＮＴＩをＣ−ＲＮＴＩとして使用すると判断する（実際にはＴ−ＣＲＮＴＩは使用されない）。それに反して、ＡＣＫ−ＮＡＣＫエラーまたはＡＣＫ−ＤＴＸエラーが発生した場合、ネットワークはそのＵＥがＴ−ＣＲＮＴＩをＣ−ＲＮＴＩとして使用しないと判断する（実際にはＴ−ＣＲＮＴＩは使用される）。
【００１５】
また、ＵＥがＬＴＥ無線通信システムのアイドリングモードまたは切離モードにある場合ではＮＡＳの関連プロセス、例えばトラッキングエリア更新、ネットワーク接続、サービス要求を起動することができる。これらのＮＡＳプロセスの中で、トラッキングエリア更新とサービス要求プロセスは再認証を起動する場合がまれであるが、ＮＡＳは再認証を起動する可能性がある。また、トラッキングエリア更新またはサービス要求プロセスは完成の所要時間が短いので、トラッキングエリア更新またはサービス要求プロセスが完成する前にハンドオーバーが発生する確率も低い。なお、ＮＡＳシグナリングを起動する過程（例えばネットワーク接続）では、基地局によりＳ１情報が提供されておらず、かつＲＲＣセキュリティープロセスが確立される前に、ハンドオーバーは実行される可能性がある。したがって、基地局でＳ１インターフェイスを通して受信した不完全なＲＲＣ情報、潜在的なセキュリティー問題、サービス要求の拒否、ＵＥキャパシティー要求、Ｓ１の転送、及びＮＡＳメッセージの要求などは解決すべきである。
【発明の開示】
【発明が解決しようとする課題】
【００１６】
本発明の主な目的は、無線通信システムにおいてランダムアクセスプロセスを処理する方法及び装置を提供することにある。
【課題を解決するための手段】
【００１７】
本発明では、無線通信システムのＵＥ（ユーザー端末）においてランダムアクセスプロセスを処理する方法を掲示する。該方法は、ランダムアクセスプロセスで、ＵＥから出力されたメッセージ３には、当該ＵＥがＣ−ＲＮＴＩ（セル無線ネットワーク一時識別子）を保有するかどうかを示すフィールドが含まれない段階を含む。
【００１８】
本発明では更に、無線通信システムのＵＥにおいてランダムアクセスプロセスを処理する方法を掲示する。該方法は、ランダムアクセスプロセスで、メッセージ３をネットワークに出力する段階と、前記メッセージ３を出力するときに伝送ウィンドウまたはタイマーを起動する段階とを含む。
【００１９】
本発明では更に、無線通信システムのネットワークにおいてランダムアクセスプロセスを処理する方法を掲示する。該方法は、Ｃ−ＲＮＴＩを保有するＵＥがコンテンションに失敗したＵＥと認定された場合に、当該ＵＥに指示メッセージを出力するか、または本来ＵＥに割り当てられたＴ−ＣＲＮＴＩ（一時セル無線ネットワーク一時識別子）に指定するか、または前記ＵＥのＵＥ  ＩＤを含まないメッセージ４を本来割り当てられたＴ−ＣＲＮＴＩに指定するか、または当該本来のＴ−ＣＲＮＴＩをその他アクセス実行中のＵＥに割り当てる段階を含む。
【００２０】
本発明では更に、無線通信システムのネットワークにおいてランダムアクセスプロセスを処理する方法を掲示する。該方法は、ランダムアクセスプロセスで、コンテンションを解消するために、メッセージ４でＵＥ  ＩＤを運ぶ段階を含む。前記ＵＥ  ＩＤは、ＵＥから出力されたメッセージ３から取得される。
【００２１】
本発明では更に、無線通信システムのネットワークにおいてランダムアクセスプロセスを処理する方法を掲示する。該方法は、ネットワークでＵＥから出力されたメッセージ１を受信したときに、Ｃ−ＲＮＴＩが検出されたと判断する段階を含む。
【００２２】
本発明では更に、無線通信システムのＵＥにおいてランダムアクセスプロセスを処理する方法を掲示する。該方法は、ＵＥに対応するＵＥ  ＩＤが無効である場合に、ランダムアクセスプロセスに次のアテンプトを提供する段階を含む。
【００２３】
本発明では更に、無線通信システムのネットワークにおいてランダムアクセスプロセスを処理する方法を掲示する。該方法は、Ｔ−ＣＲＮＴＩに基づいてコンテンション解消メッセージを対応するＵＥに再送信する段階と、前記コンテンション解消メッセージに対応する再送のＮＡＣＫ（否定応答）信号を受信したか、または前記コンテンション解消メッセージに対応する再送のＡＣＫ（肯定応答）信号を受信しなかった場合に、前記Ｔ−ＣＲＮＴＩを他ＵＥに割り当てる前に、確認メカニズムを通して前記Ｔ−ＣＲＮＴＩが前記ＵＥでＣ−ＲＮＴＩとして用いられていないかを検出または確認する段階とを含む。
【００２４】
本発明では更に、無線通信システムのネットワークにおいてランダムアクセスプロセスを処理する方法を掲示する。該方法は、Ｔ−ＣＲＮＴＩに基づいてコンテンション解消メッセージを対応するＵＥに送信する段階と、前記コンテンション解消メッセージに対応する再送のＡＣＫ信号を受信した後に、確認メカニズムを通して前記Ｔ−ＣＲＮＴＩが前記ＵＥでＣ−ＲＮＴＩとして用いられていないかを検出または確認する段階とを含む。
【００２５】
本発明では更に、無線通信システムのネットワークにおいてランダムアクセスプロセスを処理する方法を掲示する。該方法は、ＵＥがランダムアクセスプロセスのネットワーク接続プロセスにある場合に、認証及び暗号化要求信号、セキュリティーモード指令信号、接続受け入れ信号、ＲＲＣ接続設定信号を含むようにメッセージ４を設定する段階を含む。
【００２６】
本発明では更に、無線通信システムにおいてランダムアクセスプロセスを正確に処理する通信装置を掲示する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、ランダムアクセスプロセスで、通信装置から出力されたメッセージ３には、当該通信装置がＣ−ＲＮＴＩを保有するかどうかを示すフィールドが含まれないコードを含む。
【００２７】
本発明では更に、無線通信システムにおいてランダムアクセスプロセスを正確に処理する通信装置を掲示する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、ランダムアクセスプロセスで、メッセージ３をネットワークに出力するコードと、前記メッセージ３を出力するときに伝送ウィンドウまたはタイマーを起動するコードとを含む。
【００２８】
本発明では更に、無線通信システムにおいてランダムアクセスプロセスを正確に処理する通信装置を掲示する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、Ｃ−ＲＮＴＩを保有するＵＥがコンテンションに失敗したＵＥと認定された場合に、当該ＵＥに指示メッセージを出力するか、または本来ＵＥに割り当てられたＴ−ＣＲＮＴＩに指定するか、または前記ＵＥのＵＥ  ＩＤを含まないメッセージ４を本来割り当てられたＴ−ＣＲＮＴＩに指定するか、または当該本来のＴ−ＣＲＮＴＩをその他アクセス実行中のＵＥに割り当てるコードを含む。
【００２９】
本発明では更に、無線通信システムにおいてランダムアクセスプロセスを正確に処理する通信装置を掲示する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、ランダムアクセスプロセスで、コンテンションを解消するために、メッセージ４でＵＥ  ＩＤを運ぶコードを含む。前記ＵＥ  ＩＤは、ＵＥから出力されたメッセージ３から取得される。
【００３０】
本発明では更に、無線通信システムにおいてランダムアクセスプロセスを正確に処理する通信装置を掲示する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、ネットワークでＵＥから出力されたメッセージ１を受信したときに、Ｃ−ＲＮＴＩが検出されたと判断するコードを含む。
【００３１】
本発明では更に、無線通信システムにおいてランダムアクセスプロセスを正確に処理する通信装置を掲示する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、通信装置に対応するＵＥ  ＩＤが無効である場合に、ランダムアクセスプロセスに次のアテンプトを提供するコードを含む。
【００３２】
本発明では更に、無線通信システムにおいてランダムアクセスプロセスを正確に処理する通信装置を掲示する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、Ｔ−ＣＲＮＴＩに基づいてコンテンション解消メッセージを対応するＵＥに再送信するコードと、前記コンテンション解消メッセージに対応する再送のＮＡＣＫ信号を受信したか、または前記コンテンション解消メッセージに対応する再送のＡＣＫ信号を受信しなかった場合に、前記Ｔ−ＣＲＮＴＩを他ＵＥに割り当てる前に、確認メカニズムを通して前記Ｔ−ＣＲＮＴＩが前記ＵＥでＣ−ＲＮＴＩとして用いられていないかを検出または確認するコードとを含む。
【００３３】
本発明では更に、無線通信システムにおいてランダムアクセスプロセスを正確に処理する通信装置を掲示する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、Ｔ−ＣＲＮＴＩに基づいてコンテンション解消メッセージを対応するＵＥに送信するコードと、前記コンテンション解消メッセージに対応する再送のＡＣＫ信号を受信した後に、確認メカニズムを通して前記Ｔ−ＣＲＮＴＩが前記ＵＥでＣ−ＲＮＴＩとして用いられていないかを検出または確認するコードとを含む。
【００３４】
本発明では、無線通信システムにおいてランダムアクセスプロセスを正確に処理する通信装置を掲示する。該通信装置は、通信装置の機能を実現する制御回路と、制御回路の中に設けられ、プログラムコードを実行して制御回路を制御するＣＰＵと、制御回路の中にＣＰＵと結合するように設けられ、プログラムコードを記録する記憶装置とを含む。前記プログラムコードは、ＵＥがランダムアクセスプロセスのネットワーク接続プロセスにある場合に、認証及び暗号化要求信号、セキュリティーモード指令信号、接続受け入れ信号、ＲＲＣ接続設定信号を含むようにメッセージ４を設定するコードを含む。
【発明を実施するための最良の形態】
【００３５】
図１２を参照する。図１２は無線通信システム１２００を表す説明図である。無線通信システム１２００は望ましくはＬＴＥ無線通信システムであり、概してネットワークと複数のＵＥから構成される。図１２では、ネットワークとＵＥは無線通信システム１２００の構造を説明するに用いられ、実際、ネットワークは要求に応じて複数の基地局、ＲＮＣ（無線ネットワークコントローラー）を含みうる。ＵＥは携帯電話またはコンピュータシステムなどの装置である。
【００３６】
図１を参照する。図１は無線通信装置１００のブロック図である。無線通信装置１００は図１２に示すＵＥまたはネットワークを実施するものである。説明を簡潔にするために、図１では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実現する。
【００３７】
図２を参照する。図２は図１に示すプログラムコード１１２を表す説明図である。プログラムコード１１２はＮＡＳインターフェイス２００と、第三層インターフェイス２０２と、第二層インターフェイス２０６を備え、第一層インターフェイス２１８と接続されている。ＮＡＳインターフェイス２００ではＮＡＳメッセージを生成してノンアクセスアプリケーションを実行する。第三層インターフェイス２０２はＲＲＣ層インターフェイスを備え、これで資源制御を実行する。第二層インターフェイス２０６はリンク制御を実行し、第一層インターフェイス２１８は実体接続を実現する。ＰＤＣＰ（パケットデータコンバージェンスプロトコル）層インターフェイスは第三層インターフェイス２０２または第二層インターフェイス２０６に属するとみなすことができ、本発明とは無関係である。
【００３８】
タイミングアラインメントと資源要求を実現するために、無線通信装置１００にはランダムアクセスプロセスの動作に合わせてＲＡＣＨが設けられている。それに鑑みて、本発明の実施例では、ランダムアクセスプロセスを処理して従来の技術の問題を回避するためのランダムアクセス処理プログラムコード２２０を提供する。後掲記述では、メッセージ１、メッセージ２、メッセージ３、及びメッセージ４の定義はいずれも前記に準ずる。すなわち、メッセージ１はアップリンクＲＡＣＨでのランダムアクセスプリアンブル段階に対応し、メッセージ２はＤＬ−ＳＣＨでのランダムアクセス応答段階に対応し、メッセージ３はＵＬ−ＳＣＨでの第１回スケジューリングされたアップリンク送信段階に対応し、メッセージ４はＤＬ−ＳＣＨでのコンテンション解消段階に対応する。
【００３９】
図３を参照する。図３は本発明の実施例による方法３０のフローチャートである。下記方法３０は無線通信システム１２００のＵＥでのランダムアクセスプロセスの処理に用いられ、ランダムアクセス処理プログラムコード２２０としてコンパイルすることができる。
【００４０】
ステップ３００：開始。
ステップ３０２：ランダムアクセスプロセスで、ＵＥから出力されたメッセージ３には、当該ＵＥがＣ−ＲＮＴＩを保有するかどうかを示すフィールドが含まれない。
ステップ３０４：終了。
【００４１】
以上のように、ランダムアクセスプロセスで、ＵＥから出力されたメッセージ３には、当該ＵＥがＣ−ＲＮＴＩを保有するかどうかを示すフィールドが含まれないので、伝送データ量を減少し、伝送効率を向上させることができる。
【００４２】
簡単に言えば、ネットワークはメッセージ３の中のＵＥ  ＩＤに基づいて、ＵＥがＣ−ＲＮＴＩを保有するかどうかを判断することができるので、ＵＥから出力されたメッセージ３には、当該ＵＥがＣ−ＲＮＴＩを保有するかどうかを示すフィールドが含まれなくてもよい。したがって、本発明の実施例では、ＵＥから出力されたメッセージ３は望ましくは、ＵＥ  ＩＤに対応するフィールドと、ＵＥ  ＩＤタイプを示す他のフィールドを含む。
【００４３】
したがって、上記方法３０によれば、ＵＥから出力されたメッセージ３には、当該ＵＥがＣ−ＲＮＴＩを保有するかどうかを示すフィールドが含まれないので、伝送データ量を減少し、伝送効率を向上させることができる。
【００４４】
図９を参照する。図９は本発明の実施例による方法９０のフローチャートである。下記方法９０は無線通信システム１２００のＵＥでのランダムアクセスプロセスの処理に用いられ、ランダムアクセス処理プログラムコード２２０としてコンパイルすることができる。
【００４５】
ステップ９００：開始。
ステップ９０２：ランダムアクセスプロセスで、メッセージ３をネットワークに出力する。
ステップ９０４：前記メッセージ３を出力するときに伝送ウィンドウまたはタイマーを起動する。
ステップ９０６：終了。
【００４６】
以上のように、ＵＥからメッセージ３を出力すると、本発明の実施例では伝送ウィンドウまたはタイマーを起動する。そうすると、当該伝送ウィンドウのエッジに到達したかタイマーが満了したとき、ランダムアクセスプロセスを再起動することができる。
【００４７】
望ましくは、前記伝送ウィンドウとタイマーの長さはランダムアクセスプロセスの起動原因、起動原因に対応するサービス品質またはエラー制御に関係し、伝送ウィンドウとタイマーは他のタイマーに基づいて設定することができる。なお、本発明の実施例は望ましくは時間域と関係するイベント、例えばハンドオーバープロセスが発生したときに伝送ウィンドウまたはタイマーを起動する。また、ネットワークがメッセージ３に基づいて出力したメッセージ４は望ましくは、メッセージ３と半同期している。
【００４８】
したがって、上記方法９０によれば、ＵＥからメッセージ３を出力したとき、本発明の実施例では伝送ウィンドウまたはタイマーを起動する。
【００４９】
図１０を参照する。図１０は本発明の実施例による方法１０００のフローチャートである。下記方法１０００は無線通信システム１２００のネットワークでのランダムアクセスプロセスの処理に用いられ、ランダムアクセス処理プログラムコード２２０としてコンパイルすることができる。
【００５０】
ステップ１００２：開始。
ステップ１００４：Ｃ−ＲＮＴＩを保有するＵＥがコンテンションに失敗したＵＥと認定された場合に、当該ＵＥに指示メッセージを出力するか、または当該ＵＥに対して、当該ＵＥのＵＥ  ＩＤを用いてその本来のＴ−ＣＲＮＴＩに指定しないか、または前記本来のＴ−ＣＲＮＴＩをその他アクセス実行中のＵＥに割り当てる。
ステップ１００６：終了。
【００５１】
以上のように、Ｃ−ＲＮＴＩを保有するＵＥがコンテンションに失敗したＵＥと認定された場合、ネットワークは当該ＵＥに指示メッセージを出力するか、または当該ＵＥに対して、当該ＵＥのＵＥ  ＩＤを用いてその本来のＴ−ＣＲＮＴＩに指定しないか、または前記本来のＴ−ＣＲＮＴＩをその他アクセス実行中のＵＥに割り当てる。
【００５２】
望ましくは、前記ＵＥは受信した指示メッセージまたは本来のＴ−ＣＲＮＴＩに基づいて、自己がコンテンションに失敗したＵＥと判断する。
【００５３】
したがって、上記方法１０００によれば、ネットワークは失敗したＵＥに種々の処理を提供することができる。
【００５４】
図４を参照する。図４は本発明の実施例による方法４０のフローチャートである。下記方法４０は無線通信システム１２００のネットワークでのランダムアクセスプロセスの処理に用いられ、ランダムアクセス処理プログラムコード２２０としてコンパイルすることができる。
【００５５】
ステップ４００：開始。
ステップ４０２：ランダムアクセスプロセスで、コンテンションを解消するためにメッセージ４でＵＥ  ＩＤを運ぶ。当該ＵＥ  ＩＤは、ＵＥから出力されたメッセージ３から取得される。
ステップ４０６：終了。
【００５６】
以上のように、ランダムアクセスプロセスで、コンテンションを解消するためにメッセージ４でＵＥ  ＩＤを運ぶ。当該ＵＥ  ＩＤは、ＵＥから出力されたメッセージ３から取得される。
【００５７】
望ましくは、本発明の実施例では、ネットワークはメッセージ２のうちＵＥに対応するＴ−ＣＲＮＴＩ、またはＵＥの本来のＣ−ＲＮＴＩを用いて、メッセージ４をネットワークに指定する。この場合、ネットワークがＴ−ＣＲＮＴＩを用いてメッセージ４をＵＥに指定すれば、ＵＥはそのＴ−ＣＲＮＴＩをＣ−ＲＮＴＩとして用いることができる。それに反して、ネットワークがＵＥのＣ―ＲＮＴＩを用いてメッセージ４をＵＥに指定すれば、ＵＥはそのＣ−ＲＮＴＩを引き続き使用することができる。
【００５８】
また、望ましくは、ネットワークはメッセージ３で運ばれるＵＥ  ＩＤに基づいてＣ−ＲＮＴＩを検知し、Ｃ−ＲＮＴＩの検出時にＴ−ＣＲＮＴＩを解放し、このＴ−ＣＲＮＴＩを他ＵＥに割り当てることを許容する。
【００５９】
前述のように、従来の技術では、ＵＥでメッセージ３を通してＣ−ＲＮＴＩを保有することを基地局に通報した後、メッセージ４を受信する前に、当該ＵＥが保有するＣ−ＲＮＴＩは既に解放されたか無効となる場合がある。しかし、ネットワークは当該ＵＥが本来のＣ−ＲＮＴＩを使用すると認定し、メッセージ２の中の当該ＵＥに割り当てられるＴ−ＣＲＮＴＩをランダムアクセスプロセス実行中の他ＵＥに改めて割り当て、ＵＥは前に受信したＴ−ＣＲＮＴＩをＣ−ＲＮＴＩとすることを余儀なくされる場合がある。それと比べて、本発明の実施例では、ネットワークはメッセージ３で運ばれるＵＥ  ＩＤに基づいてＣ−ＲＮＴＩを検知し、Ｃ−ＲＮＴＩの検出時にＴ−ＣＲＮＴＩを解放し、このＴ−ＣＲＮＴＩを他ＵＥに割り当てることを許容する。言い換えれば、ネットワークはＵＥがその本来Ｃ−ＲＮＴＩを使用することを確認してから、メッセージ２の中のＴ−ＣＲＮＴＩをランダムアクセスプロセス実行中の他ＵＥに改めて割り当てるので、従来の技術の問題を回避することができる。
【００６０】
したがって、上記方法４０によれば、コンテンションを解消して伝送効率を向上させるために、ネットワークから出力されたメッセージ４では、メッセージ３から取得されたＵＥ  ＩＤを運ぶ。
【００６１】
図１１を参照する。図１１は本発明の実施例による方法１１００のフローチャートである。下記方法１１００は無線通信システム１２００のネットワークでのランダムアクセスプロセスの処理に用いられ、ランダムアクセス処理プログラムコード２２０としてコンパイルすることができる。
【００６２】
ステップ１１０２：開始。
ステップ１１０４：ネットワークでＵＥから出力されたメッセージ１を受信したときに、Ｃ−ＲＮＴＩが検出されたと判断する。
ステップ１１０６：終了。
【００６３】
以上のように、ネットワークでＵＥから出力されたメッセージ１を受信したときに、本発明の実施例ではＣ−ＲＮＴＩが検出されたと判断する。
【００６４】
この場合、望ましくは、本発明の実施例ではメッセージ２の中でＴ−ＣＲＮＴＩをＵＥに割り当てない。また、Ｃ−ＲＮＴＩが検出されたと判断した後、ネットワークは長さがより短いか、または特定の形式を有する特殊Ｔ−ＣＲＮＴＩをＵＥに割り当てることで、メッセージ４を割り当てる。或いは、メッセージ１で運ばれる専用プリアンブルを受信したときに、Ｃ−ＲＮＴＩが検出されたと判断する。
【００６５】
更に、本発明の実施例では、ＵＥは望ましくはネットワークから他のＴ−ＣＲＮＴＩの割り当てるのを待たないか期待せず、メッセージ２に対応するフィールドに基づいてＴ−ＣＲＮＴＩの割り当ての有無を決めるか、またはＣ−ＲＮＴＩがネットワークで判明されたかまたは検出されたかどうかを決める。
【００６６】
したがって、上記方法１１００によれば、ＵＥから出力されたメッセージ１を受信したとき、ネットワークはＣ−ＲＮＴＩが検出されたと判断する。
【００６７】
図５を参照する。図５は本発明の実施例による方法５０のフローチャートである。下記方法５０は無線通信システム１２００のＵＥでのランダムアクセスプロセスの処理に用いられ、ランダムアクセス処理プログラムコード２２０としてコンパイルすることができる。
【００６８】
ステップ５００：開始。
ステップ５０２：ＵＥに対応するＵＥ  ＩＤが無効である場合に、ランダムアクセスプロセスに次のアテンプトを提供する。
ステップ５０６：終了。
【００６９】
以上のように、ＵＥに対応するＵＥ  ＩＤが無効である場合に、ＵＥはランダムアクセスプロセスに次のアテンプトを提供する。
【００７０】
前述のように、従来の技術では、ＵＥでメッセージ３を通してＣ−ＲＮＴＩを保有することを基地局に通報した後、メッセージ４を受信する前に、当該ＵＥが保有するＣ−ＲＮＴＩは既に解放されたか無効となる場合がある。この場合、本発明の実施例では、ＵＥ  ＩＤが無効である場合に、ＵＥはランダムアクセスプロセスに次のアテンプトを提供する。望ましくは、無効なＵＥ  ＩＤに対して、本発明の実施例ではＵＥまたはネットワークでそれを削除し、またはＵＥでランダムに選ばれたＵＥ  ＩＤをランダムアクセスプロセスに用いる。例えば、トラッキングエリア変更のときはＵＥで無効なＵＥ  ＩＤを削除し、無効なＵＥ  ＩＤをＵＥに割り当てる前にはネットワークでそれを削除する。
【００７１】
したがって、上記方法５０によれば、ＵＥ  ＩＤが無効である場合、本発明の実施例ではＵＥまたはネットワークでその無効なＵＥ  ＩＤを削除し、ランダムアクセスプロセスに次のアテンプトを提供する。
【００７２】
図６を参照する。図６は本発明の実施例による方法６０のフローチャートである。下記方法６０は無線通信システム１２００のネットワークでのランダムアクセスプロセスの処理に用いられ、ランダムアクセス処理プログラムコード２２０としてコンパイルすることができる。
【００７３】
ステップ６００：開始。
ステップ６０２：Ｔ−ＣＲＮＴＩに基づいてコンテンション解消メッセージを対応するＵＥに再送信する。
ステップ６０４：前記コンテンション解消メッセージに対応する再送のＮＡＣＫ信号を受信したか、または前記コンテンション解消メッセージに対応する再送のＡＣＫ信号を受信しなかった場合に、前記Ｔ−ＣＲＮＴＩを他ＵＥに割り当てる前に、確認メカニズムを通して前記Ｔ−ＣＲＮＴＩが前記ＵＥでＣ−ＲＮＴＩとして用いられていないかを検出または確認する。
ステップ６０６：終了。
【００７４】
以上のように、ネットワークでコンテンション解消メッセージをＴ−ＣＲＮＴＩにより指定されたＵＥに再送信した場合、当該コンテンション解消メッセージに対応する再送のＮＡＣＫ（否定応答）信号を受信したか、または当該コンテンション解消メッセージに対応する再送のＡＣＫ（肯定応答）信号を受信しなかった場合に、本発明の実施例では前記Ｔ−ＣＲＮＴＩを他ＵＥに割り当てる前に、確認メカニズムを通して前記Ｔ−ＣＲＮＴＩが前記ＵＥでＣ−ＲＮＴＩとして用いられていないかを検出または確認する。
【００７５】
前述のように、従来の技術では、ＡＣＫ−ＮＡＣＫエラーが発生した場合、ネットワークはＵＥがＴ−ＣＲＮＴＩをＣ−ＲＮＴＩとして使用しないと判断するが、実際には当該Ｔ−ＣＲＮＴＩは使用されている。それと比べて、ネットワークでコンテンション解消メッセージに対応する再送のＮＡＣＫ信号を受信したか、または当該コンテンション解消メッセージに対応する再送のＡＣＫ信号を受信しなかった場合に、本発明の実施例ではＴ−ＣＲＮＴＩを他ＵＥに割り当てる前に、確認メカニズムを通して当該Ｔ−ＣＲＮＴＩがＵＥでＣ−ＲＮＴＩとして用いられていないかを検出または確認することで、誤判を回避する。前記確認メカニズムは以下のとおりである。
【００７６】
（ａ１）ＵＥがアップリンクメッセージの中でＣ−ＲＮＴＩを指示または保有するかどうかを判断する。
（ｂ１）Ｔ−ＣＲＮＴＩにより指定されたダウンリンクメッセージを送信し、対応する応答メッセージの有無を検査する。
（ｃ１）待ってＴ−ＣＲＮＴＩを使用するＵＥの有無を検査する。
（ｄ１）Ｔ−ＣＲＮＴＩに専用プリアンブルを割り当て、当該専用プリアンブルを使用するＵＥの有無を検査する。
（ｅ１）ＵＥがＲＲＣ接続状態にあるかどうかを検査する。
【００７７】
なお、コンテンション解消メッセージを送信するかまたはＴ−ＣＲＮＴＩを割り当てる前に、ネットワークはＵＥがＣ−ＲＮＴＩを保有しないと認定することが望ましい。コンテンション解消メッセージが少なくとも１つのＵＥに対応した場合、ネットワークは各ＵＥに対して前記確認メカニズムを実行する。
【００７８】
したがって、上記方法６０によれば、本発明の実施例ではコンテンション解消メッセージに対応する再送のＮＡＣＫ信号を受信したか、または当該コンテンション解消メッセージに対応する再送のＡＣＫ信号を受信しなかった場合に、前記Ｔ−ＣＲＮＴＩを他ＵＥに割り当てる前に、確認メカニズムを通して前記Ｔ−ＣＲＮＴＩが前記ＵＥでＣ−ＲＮＴＩとして用いられていないかを検出または確認する。そうすると、ＡＣＫ−ＮＡＣＫエラーによる問題を解決することができる。
【００７９】
図７を参照する。図７は本発明の実施例による方法７０のフローチャートである。下記方法７０は無線通信システム１２００のネットワークでのランダムアクセスプロセスの処理に用いられ、ランダムアクセス処理プログラムコード２２０としてコンパイルすることができる。
【００８０】
ステップ７００：開始。
ステップ７０２：Ｔ−ＣＲＮＴＩに基づいてコンテンション解消メッセージを対応するＵＥに送信する。
ステップ７０４：前記コンテンション解消メッセージに対応する再送のＡＣＫ信号を受信した後に、確認メカニズムを通して前記Ｔ−ＣＲＮＴＩが前記ＵＥでＣ−ＲＮＴＩとして用いられていないかを検出または確認する。
ステップ７０６：終了。
【００８１】
以上のように、ネットワークでＴ−ＣＲＮＴＩに基づいてコンテンション解消メッセージを対応するＵＥに送信した場合、ネットワークで当該コンテンション解消メッセージに対応する再送のＡＣＫ信号を受信すれば、本発明の実施例では確認メカニズムを通して、前記Ｔ−ＣＲＮＴＩが前記ＵＥでＣ−ＲＮＴＩとして用いられていないかを検出または確認する。
【００８２】
前述のように、従来の技術では、ＤＴＸ−ＡＣＫエラーまたはＮＡＣＫ−ＡＣＫエラーが発生した場合に、Ｃ−ＲＮＴＩを保有しないＵＥに対して、ネットワークはそのＵＥがＴ−ＣＲＮＴＩをＣ−ＲＮＴＩとして使用すると判断するが、実際には当該Ｔ−ＣＲＮＴＩは使用されていない。それと比べて、本発明の実施例では、コンテンション解消メッセージに対応する再送のＡＣＫ信号を受信すれば、ネットワークは確認メカニズムを通して、Ｔ−ＣＲＮＴＩがＵＥでＣ−ＲＮＴＩとして用いられていないかを検出または確認する。そうすると、ＤＴＸ−ＡＣＫエラーまたはＮＡＣＫ−ＡＣＫエラーによる問題は回避できる。前記確認メカニズムは望ましくは以下のとおりである。
【００８３】
（ａ２）Ｃ−ＲＮＴＩまたは他のＵＥ  ＩＤを次のアップリンクメッセージの中のＵＥ  ＩＤとして使用するようにＵＥに指示する。
（ｂ２）ＵＥが後続のアップリンクメッセージに対する応答を受信するか、またはダウンリンクでＵＥのアップリンクメッセージ伝送に対して応答する。
（ｃ２）前記Ｃ−ＲＮＴＩまたはＵＥ  ＩＤを使用する他のプロセスを待つ。
（ｄ２）前記Ｃ―ＲＮＴＩを保有するＵＥに専用プリアンブルを割り当てる。
（ｅ２）ＵＥがＲＲＣ接続状態にあるかどうかを検査する。
【００８４】
なお、コンテンション解消メッセージを送信するかまたはＴ−ＣＲＮＴＩを割り当てる前に、ネットワークはＵＥがＣ−ＲＮＴＩを保有しないと認定することが望ましい。コンテンション解消メッセージが少なくとも１つのＵＥに対応した場合、ネットワークは各ＵＥに対して前記確認メカニズムを実行する。また、本発明の実施例ではＣ−ＲＮＴＩに基づいてページングメッセージまたは検索メッセージを出力し、対応するＵＥ  ＩＤが添付された応答メッセージを出力するように前記少なくとも１つのＵＥに求め、少なくとも１つのＵＥが当該Ｃ−ＲＮＴＩを保有するかどうかを検査する。
【００８５】
また、前記確認メカニズムは、Ｔ−ＣＲＮＴＩをＵＥのＣ−ＲＮＴＩとし、このＴ−ＣＲＮＴＩを用いてアップリンク伝送を通して測定レポートなどのプロセスを起動し、Ｔ−ＣＲＮＴＩがＵＥでＣ−ＲＮＴＩとして用いられていないかを検出または確認する。
【００８６】
したがって、上記方法７０によれば、ネットワークで当該コンテンション解消メッセージに対応する再送のＡＣＫ信号を受信すれば、本発明の実施例では確認メカニズムを通して、前記Ｔ−ＣＲＮＴＩが前記ＵＥでＣ−ＲＮＴＩとして用いられていないかを検出または確認する。そうすると、ＤＴＸ−ＡＣＫエラーまたはＮＡＣＫ−ＡＣＫエラーによる問題は回避できる。
【００８７】
図８を参照する。図８は本発明の実施例による方法８０のフローチャートである。下記方法８０は無線通信システム１２００のネットワークでのランダムアクセスプロセスの処理に用いられ、ランダムアクセス処理プログラムコード２２０としてコンパイルすることができる。
【００８８】
ステップ８００：開始。
ステップ８０２：ＵＥがランダムアクセスプロセスのネットワーク接続プロセスにある場合に、認証及び暗号化要求信号、セキュリティーモード指令信号、接続受け入れ信号、ＲＲＣ接続設定信号を含むようにメッセージ４を設定する。
ステップ８０４：終了。
【００８９】
以上のように、本発明の実施例では、ＵＥがランダムアクセスプロセスのネットワーク接続プロセスにある場合に、ネットワークは、認証及び暗号化要求信号、セキュリティーモード指令信号、接続受け入れ（ａｔｔａｃｈ  ａｃｃｅｐｔ）信号、ＲＲＣ接続設定信号を含むようにメッセージ４を設定する。そうすると、基地局でＳ１インターフェイスを通して受信した不完全なＲＲＣ情報、潜在的なセキュリティー問題、サービス要求の拒否、ＵＥキャパシティー要求、Ｓ１の転送、及びＮＡＳメッセージの要求などの問題は解決される。
【００９０】
したがって、上記方法８０によれば、ネットワークは、認証及び暗号化要求信号、セキュリティーモード指令信号、接続受け入れ信号、ＲＲＣ接続設定信号を含むようにメッセージ４を設定し、前記複数の問題を解決することができる。
【００９１】
まとめていえば、本発明の実施例では種々のランダムアクセスプロセスの処理方法を提供することで、タイミングアラインメントと資源要求を効率よく実行し、システム効率を向上させる。
【００９２】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００９３】
【図１】本発明による無線通信装置のブロック図である。
【図２】図１に示すプログラムコードを表す説明図である。
【図３】本発明の実施例による方法のフローチャートである。
【図４】本発明の実施例による方法のフローチャートである。
【図５】本発明の実施例による方法のフローチャートである。
【図６】本発明の実施例による方法のフローチャートである。
【図７】本発明の実施例による方法のフローチャートである。
【図８】本発明の実施例による方法のフローチャートである。
【図９】本発明の実施例による方法のフローチャートである。
【図１０】本発明の実施例による方法のフローチャートである。
【図１１】本発明の実施例による方法のフローチャートである。
【図１２】無線通信システムを表す説明図である。
【符号の説明】
【００９４】
１００  無線通信装置
１０２  入力装置
１０４  出力装置
１０６  制御回路
１０８  ＣＰＵ
１１０  記憶装置
１１２  プログラムコード
１１４  トランシーバー
２００  ＮＡＳインターフェイス
２０２  第三層インターフェイス
２０６  第二層インターフェイス
２１８  第一層インターフェイス
２２０  ランダムアクセス処理プログラムコード
１２００  無線通信システム
【図１】
0005614888.tif 000002
【図２】
0005614888.tif 000003
【図３】
0005614888.tif 000004
【図４】
0005614888.tif 000005
【図５】
0005614888.tif 000006
【図６】
0005614888.tif 000007
【図７】
0005614888.tif 000008
【図８】
0005614888.tif 000009
【図９】
0005614888.tif 000010
【図１０】
0005614888.tif 000011
【図１１】
0005614888.tif 000012
【図１２】
0005614888.tif 000013